(57)【要約】ＤＬ  ＭＵ−ＭＩＭＯ特性を向上させることが可能な基地局、システム、方法及びプログラムを提供することを目的とする。本開示に係る基地局（１１）は、空間多重端末（１２ｓ）に関する情報と空間多重端末（１２ｓ）のＤＬ（Down Link）チャネル情報とに基づいて基地局（１１）が有する複数アンテナ（１１ａｎ）の空間多重アンテナウェイトＶＪＬを算出する算出部（１１１）と、空間多重アンテナウェイトＶＪＬに基づいて他の端末への干渉電力を所望レベル以下にする干渉除去アンテナウェイトＷＪＬを算出し、空間多重アンテナウェイトＶＪＬと干渉除去アンテナウェイトＷＪＬとに基づいて空間多重端末（１２ｓ）の希望信号電力損失ＰＬＪＬを算出する干渉除去部（１１２）と、希望信号電力損失ＰＬＪＬが電力損失閾値Ｐｔｈよりも大きい損失過剰端末（１２ｐ）を空間多重端末（１２ｓ）から除外する選択部（１１３）と、を備える。
2020066143.tif 000002
【特許請求の範囲】
【請求項１】
ある無線リソースにおいて、空間多重を行う空間多重端末に関する情報と前記空間多重端末のＤＬ（Down Link）チャネル情報とに基づいて自局が有する複数アンテナの空間多重アンテナウェイトを算出する算出手段と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去手段と、
前記希望信号電力損失が電力損失閾値よりも大きい損失過剰端末を前記空間多重端末から除外する選択手段と、
前記空間多重端末に信号を送信する送信手段と、
を備える基地局。
【請求項２】
前記干渉除去手段は、
前記空間多重アンテナウェイトから算出した指向性パターンのピーク方向における空間多重ビーム利得を算出し、
前記空間多重アンテナウェイトから算出した指向性パターンのピーク方向における、前記干渉除去アンテナウェイトから算出した指向性パターンの干渉ビーム利得を算出し、
前記空間多重ビーム利得と前記干渉ビーム利得との差分を前記希望信号電力損失として算出する、
請求項１に記載の基地局。
【請求項３】
前記選択手段は、ランダム選択法、ラウンドロビン法、プロポーショナルフェアネス（ＰＦ：Proportional Fairness）法、又はＭａｘ  Ｃ／Ｉ法のいずれかを使用して、自局と通信を行う複数の端末の中から前記空間多重端末を選択する、
請求項１又は２に記載の基地局。
【請求項４】
前記干渉除去手段は、ゼロフォーシング（ＺＦ：Zero Forcing）法、及びＭＭＳＥ（Minimum Mean Square Error）法のうちの少なくともいずれかを使用して、前記空間多重端末の送信電力を低下させて前記干渉電力を前記所望レベル以下にする、
請求項１乃至３のいずれか１つに記載の基地局。
【請求項５】
前記空間多重端末の数の初期値は、自局の最大送信可能レイヤ数を、前記空間多重端末の最大受信可能レイヤ数で割った値として予め設定される、
請求項１乃至４のいずれか１つに記載の基地局。
【請求項６】
前記選択手段は、前記除外した前記損失過剰端末の数だけ、新たな端末を前記複数の端末の中から多重端末選択方法に基づいて選択し、前記新たな端末を前記空間多重端末に追加する、
請求項３に記載の基地局。
【請求項７】
基地局と前記基地局と空間多重を行う空間多重端末とを備え、
前記基地局は、
ある無線リソースにおいて、前記空間多重端末に関する情報と前記空間多重端末のＤＬ（Down Link）チャネル情報とに基づいて前記基地局が有する複数アンテナの空間多重アンテナウェイトを算出する算出手段と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去手段と、
前記希望信号電力損失が電力損失閾値よりも大きい損失過剰端末を前記空間多重端末から除外する選択手段と、
前記空間多重端末に信号を送信する送信手段と、を有し、
前記空間多重端末は、
前記基地局から受信したＤＬ制御情報に基づいて前記ＤＬチャネル情報を生成する生成手段と、
前記ＤＬチャネル情報を前記基地局に送信する送信手段と、を有する、
システム。
【請求項８】
前記干渉除去手段は、
前記空間多重アンテナウェイトから算出した指向性パターンのピーク方向における空間多重ビーム利得を算出し、
前記空間多重アンテナウェイトから算出した指向性パターンのピーク方向における、前記干渉除去アンテナウェイトから算出した指向性パターンの干渉ビーム利得を算出し、
前記空間多重ビーム利得と前記干渉ビーム利得との差分を前記希望信号電力損失として算出する、
請求項７に記載のシステム。
【請求項９】
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する、
方法。
【請求項１０】
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する、
ことをコンピュータに実行させるプログラムが格納される非一時的なコンピュータ可読媒体。
【発明の詳細な説明】
【技術分野】
【０００１】
本開示は、基地局、システム、方法及びプログラムに関するものであり、特に、ＤＬ  ＭＵ−ＭＩＭＯ（Down Link Multi User - Multiple Input Multiple Output）特性を向上させることが可能な基地局、システム、方法及びプログラムに関する。
【背景技術】
【０００２】
多素子アンテナを備えた基地局は、ＤＬ  ＭＵ−ＭＩＭＯを行う際、自局と通信する端末のＤＬチャネル情報に基づいて、無線リソースに対して、どの端末（レイヤ）を割り当てて空間多重を行うかを決定する。無線リソースに対して、どの端末を割り当てて空間多重を行うかを決定する際、基地局と接続する全ての端末の中から最適解を求めることは難しい。最適解を求める方法としては、例えば、基地局は、自局と接続する全ての端末の中から、「合計レイヤ数  ≦  基地局の最大空間多重レイヤ数」となる組み合わせを抽出する。基地局は、該抽出した組み合わせに対して、無線リソースにおけるＤＬチャネルの相互相関を算出し、最も相互相関の低い組み合わせを選択する。基地局は、このような方法により、無線リソースに対して、どの端末を割り当てて空間多重を行うかを決定する際の最適解を求めることができる。しかしながら、このような方法は、演算量が多く、そのための回路規模が大きく、処理時間が長い。【０００３】
一方、最適解ではないが、演算量を少なくし、回路規模を小さくし、処理時間を短くするため、空間多重を行う空間多重端末をランダムに選択するランダム選択方法がある。ランダム選択方法は、最適解を求める方法と比較すると演算量が少なく、回路規模が小さく、処理時間が短い。しかしながら、ランダム選択方法は、例えば、地理的に近接した端末を空間多重端末として選択した場合、ＤＬチャネルの相互相関が高くなる。このため、ＤＬビームによって近接する他の端末に対する干渉電力を抑えると共に、当該端末に対して所定の通信品質を満たすには、基地局のＤＬ送信電力を、地理的に近接した端末を空間多重端末として選択しなかった場合と比べて、大きくする必要がある。基地局の総送信電力には上限があるので、このような場合、基地局は当該端末に対して十分な送信電力を割り当てることができなくなる。または、基地局において、空間多重を行う他の端末に対する送信電力が低下する。これらにより、ＤＬ  ＭＵ−ＭＩＭＯ特性が劣化する。具体的には、信号対干渉比（ＳＩＲ：Signal to Interference Ratio）、ＤＬ通信品質、スループット等が低下する。【０００４】
特許文献１には、複数アンテナを用いて基地局から複数の無線端末に送信するビームの指向性を定めるビームウェイトを制御するビーム制御方法であって、前記複数の無線端末の夫々と前記基地局との間の伝送路の通信品質を推定するステップと、前記通信品質が所定のレベル以下の一以上の第１無線端末が前記ビームを受信するために必要な一以上の第１ビームウェイトを、前記一以上の第１無線端末の夫々に関連付けて決定する第１決定ステップと、前記通信品質が前記所定のレベルより高い無線端末が、前記一以上の第１ビームウェイトのいずれかのビームウェイトを用いて生成される第１ビームを受信できるか否かを判定する判定ステップと、前記第１ビームを受信できない一以上の第２無線端末がビームを受信するために必要な一以上の第２ビームウェイトを、前記一以上の第２無線端末に関連付けて決定する第２決定ステップと、前記一以上の第１ビームウェイト及び前記一以上の第２ビームウェイトから複数のビームウェイトを選択する選択ステップと、を有するビーム制御方法が記載されている。特許文献１には、空間多重アンテナウェイトと干渉除去アンテナウェイトとに基づいて空間多重端末の希望信号電力損失を算出し、希望信号電力損失が電力損失閾値よりも大きい損失過剰端末を空間多重端末から除外することは、記載されていない。
【先行技術文献】
【特許文献】
【０００５】
【特許文献１】特開２０１６−１６７７７６号公報
【発明の概要】
【発明が解決しようとする課題】
【０００６】
上記のように、基地局が端末との間でＤＬ  ＭＵ−ＭＩＭＯを行う場合、演算量を少なくし、回路規模を小さくし、処理時間を短くするため、最適解を求める方法以外で空間多重を行う空間多重端末を選択すると、ＤＬ  ＭＵ−ＭＩＭＯ特性が劣化するという問題があった。【０００７】
本開示の目的は、上述した課題のいずれかを解決する基地局、システム、方法及びプログラムを提供することにある。
【課題を解決するための手段】
【０００８】
本開示に係る基地局は、
ある無線リソースにおいて、空間多重を行う空間多重端末に関する情報と前記空間多重端末のＤＬ（Down Link）チャネル情報とに基づいて自局が有する複数アンテナの空間多重アンテナウェイトを算出する算出部と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去部と、
前記希望信号電力損失が電力損失閾値よりも大きい損失過剰端末を前記空間多重端末から除外する選択部と、
前記空間多重端末に信号を送信する送信部と、
を備える。【０００９】
本開示に係るシステムは、
基地局と前記基地局と空間多重を行う空間多重端末とを備え、
前記基地局は、
ある無線リソースにおいて、前記空間多重端末に関する情報と前記空間多重端末のＤＬ（Down Link）チャネル情報とに基づいて前記基地局が有する複数アンテナの空間多重アンテナウェイトを算出する算出部と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去部と、
前記希望信号電力損失が電力損失閾値よりも大きい損失過剰端末を前記空間多重端末から除外する選択部と、
前記空間多重端末に信号を送信する送信部と、を有し、
前記空間多重端末は、
前記基地局から受信したＤＬ制御情報に基づいて前記ＤＬチャネル情報を生成する生成部と、
前記ＤＬチャネル情報を前記基地局に送信する送信部と、を有する。【００１０】
本開示に係る方法は、
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する。【００１１】
本開示に係るプログラムは、
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する、
ことをコンピュータに実行させる。
【発明の効果】
【００１２】
本開示によれば、ＤＬ  ＭＵ−ＭＩＭＯ（Down Link Multi User - Multiple Input Multiple Output）特性を向上させることが可能な基地局、システム、方法及びプログラムを提供することができる。
【図面の簡単な説明】
【００１３】
【図１】実施の形態に係る基地局を例示するブロック図である。
【図２】実施の形態に係るシステムを例示するブロック図である。
【図３Ａ】実施の形態に係る基地局の動作を例示するフローチャートである。
【図３Ｂ】実施の形態に係る基地局の動作を例示するフローチャートである。
【発明を実施するための形態】
【００１４】
以下、図面を参照して本発明の実施の形態について説明する。各図面において、同一又は対応する要素には同一の符号が付されており、説明の明確化のため、必要に応じて重複説明を省略する。
【００１５】
［実施の形態］
実施の形態に係る基地局を説明する。
【００１６】
図１は、実施の形態に係る基地局を例示するブロック図である。
【００１７】
図１に示すように、実施の形態に係る基地局１１は、算出部１１１と、干渉除去部１１２と、選択部１１３と、送信部１１４と、を備える。基地局を無線基地局と称することもある。
【００１８】
算出部１１１は、端末あたりのレイヤ毎の最適ウェイト算出部１１１１と多重ウェイト選択部１１１２とを有する。算出部１１１は、ある無線リソースにおいて、空間多重を行う空間多重端末１２ｓに関する情報と空間多重端末１２ｓのＤＬ（Down Link）チャネル情報とに基づいて基地局１１が有するアンテナ１１ａｎの空間多重アンテナウェイトＶＪＬを算出する。アンテナ１１ａｎは、多素子アンテナである。
【００１９】
干渉除去部１１２は、端末間干渉除去部１１２１と希望信号電力損失算出部１１２２と希望信号電力損失判定部１１２３とを有する。干渉除去部１１２は、空間多重アンテナウェイトＶＪＬに基づいて他の端末への干渉電力を所望レベル以下にする干渉除去アンテナウェイトＷＪＬを算出する。干渉除去部１１２は、空間多重アンテナウェイトＶＪＬと干渉除去アンテナウェイトＷＪＬとに基づいて空間多重端末１２ｓの希望信号電力損失ＰＬＪＬを算出する。
【００２０】
選択部１１３は、希望信号電力損失ＰＬＪＬが電力損失閾値Ｐｔｈよりも大きい損失過剰端末１２ｐを空間多重端末１２ｓから除外する。
【００２１】
送信部１１４は、干渉除去アンテナウェイトＷＪＬを用いて空間多重端末１２ｓに信号を送信する。空間多重アンテナウェイトＶＪＬや干渉除去アンテナウェイトＷＪＬなどを、総称して単にアンテナウェイトと称することもある。
【００２２】
実施の形態に係るシステムを説明する。
【００２３】
図２は、実施の形態に係るシステムを例示するブロック図である。
【００２４】
図２に示すように、システム１０は、基地局１１と基地局１１と空間多重を行う空間多重端末１２ｓとを備える。基地局１１は、基地局１１と通信を行う複数の端末１２ｎの中から、ある周波数と時刻の無線リソースを用いて通信を行う空間多重端末１２ｓを選択する。
【００２５】
空間多重端末１２ｓは、生成部１２１と送信部１２２とを有する。生成部１２１は、基地局１１から受信したＤＬ制御情報に基づいてＤＬチャネル情報を生成する。送信部１２２は、ＤＬチャネル情報を基地局１１に送信する。
【００２６】
基地局１１と空間多重端末１２ｓとは、ある周波数と時刻の無線リソースを使用してＤＬ  ＭＩＭＯ（Down Link Multi User - Multiple Input Multiple Output）で通信を行う。
【００２７】
図２では、複数の端末１２ｎの全ての数を数Ｉとし、ある無線リソースを使用して基地局１１とＤＬ  ＭＩＭＯで通信を行う空間多重端末１２ｓの数を数Ｊとする。すなわち、数Ｊはある無線リソースにおいて、空間多重を行うことが可能な空間多重端末１２ｓの数である。ここで、数Ｉと数Ｊとの関係は下記の式（１）で表すことができる。
【００２８】
Ｉ  ≧  Ｊ                    （１）
ただし、数Ｊは１以上の整数とする。
【００２９】
基地局１１と接続する空間多重端末１２ｓは、それぞれがアンテナ１２ａｎを備える。アンテナ１２ａｎは、１以上のアンテナ素子を有する。
【００３０】
基地局１１のアンテナ１１ａｎの数である送信アンテナ素子数ＮＴＸと基地局１１の最大送信可能レイヤ数Ｋとの関係は、下記の式（２）で表すことができる。
【００３１】
ＮＴＸ  ≧  Ｋ                    （２）
ただし、送信アンテナ素子数ＮＴＸは２以上の整数とする。尚、送信アンテナ素子数ＮＴＸは、基地局１１の送信部１１４の数としてもよい。
【００３２】
ここで、空間多重端末１２ｓのうちのｊ番目の空間多重端末１２ｊに着目すると、ｊと数Ｊとの関係は、下記の式（３）で表すことができる。
【００３３】
Ｊ  ≧  ｊ  ≧  １                    （３）
【００３４】
また、空間多重端末１２ｓのうちの空間多重端末１２ｊの受信アンテナ素子数ＮＲＸ，ｊと空間多重端末１２ｊの最大受信可能レイヤ数Ｌｊｍとの関係は、下記の式（４）で表すことができる。
【００３５】
ＮＲＸ，ｊ  ≧  Ｌｊｍ                    （４）
ただし、最大受信可能レイヤ数Ｌｊｍは１以上の整数とする。
【００３６】
また、空間多重端末１２ｊの最大受信可能レイヤ数Ｌｊｍと空間多重端末１２ｊの実際の受信レイヤ数Ｌｊｒとの関係は、下記の式（５）で表すことができる。
【００３７】
Ｌｊｍ  ≧  Ｌｊｒ                    （５）
【００３８】
また、空間多重端末１２ｊの実際の受信レイヤ数Ｌｊｒと基地局１１の最大送信可能レイヤ数Ｋとの関係は、ある無線リソースにおいて、下記の式（６）で表すことができる。
【００３９】
Ｌ１ｒ＋Ｌ２ｒ＋・・・＋Ｌｊｒ＋・・・＋ＬＪｒ  ≦  Ｋ        （６）
【００４０】
尚、空間多重端末１２ｓの各端末の最大受信可能レイヤ数は、空間多重端末１２ｊの最大受信可能レイヤ数Ｌｊｍと等しいか小さく、Ｌｊｍを最大受信可能レイヤ数Ｌとする。空間多重端末１２ｓの各端末の実際の受信レイヤ数は、最大受信可能レイヤ数Ｌと等しいか小さく、端末毎に異なってもよい。ただし、以降の説明では、簡略化のために、空間多重端末１２ｓの各端末の実際の受信レイヤ数は、最大受信可能レイヤ数Ｌと等しいとする。
【００４１】
実施の形態に係る基地局の動作を説明する。
図３Ａは、実施の形態に係る基地局の動作を例示するフローチャートである。
図３Ｂは、実施の形態に係る基地局の動作を例示するフローチャートである。
【００４２】
図３Ａ及び図３Ｂに示すように、基地局１１の算出部１１１の最適ウェイト算出部１１１１は、複数の端末１２ｎ毎のダウンリンク（ＤＬ：Down Link）チャネル情報を入力とする。最適ウェイト算出部１１１１は、数Ｉの複数の端末１２ｎ毎の端末あたりのレイヤ毎の最適アンテナウェイトＶＩＬを算出し出力する（ステップＳ１０１）。最適アンテナウェイトＶＩＬは、Ｖ１，１，  Ｖ１，２，  …  Ｖ１，Ｌ，  Ｖ２，１，  Ｖ２，２，  …  Ｖ２，Ｌ，  …  ＶＩ，１，  ＶＩ，２，  …  ＶＩ，Ｌと表すことができる。
【００４３】
ただし、基地局１１と接続する複数の端末１２ｎの数をＩとし、複数の端末１２ｎの各端末の最大受信可能レイヤ数をＬとする。ＤＬチャネル情報の次元は、基地局１１の送信アンテナ素子数ＮＴＸと、複数の端末１２ｎの受信アンテナ素子数ＮＲＸと、を掛け算した値である。
【００４４】
ＤＬチャネル情報は、例えば、時間分割双方向（ＴＤＤ：Time Division Duplex）方式の場合、以下のようにして取得できる。
【００４５】
先ず、複数の端末１２ｎ毎に基地局１１にＳＲＳ（Sounding Reference Signal）を送信する。次に、基地局１１が該ＳＲＳに基づいてＵＬ（Up Link）チャネルの推定値を算出する。その後、基地局１１が、伝搬路相反性に基づき、ＵＬチャネルの推定値をＤＬチャネル情報として使用する。ＵＬチャネルの推定値をＵＬチャネル推定値と称する。
【００４６】
また、ＤＬチャネル情報は、ＴＤＤ方式、及び周波数分割双方向（ＦＤＤ：Frequency Division Duplex）方式を問わず、以下のようにしても取得できる。
【００４７】
先ず、基地局１１が複数の端末１２ｎにＣＳＩ−ＲＳ（Channel State Information − Reference Signal）を送信する。次に、複数の端末１２ｎ毎にＣＳＩ−ＲＳのＤＬチャネルの推定値を算出する。その後、複数の端末１２ｎがＤＬチャネルの推定値からＤＬチャネル情報を生成し、ＤＬチャネル情報を基地局１１に送信する。ＤＬチャネルの推定値をＤＬチャネル推定値と称する。
【００４８】
基地局１１は、ＤＬチャネル情報を取得するための受信部をさらに備えてもよい。
【００４９】
尚、ＵＬチャネル推定値とＤＬチャネル推定値とのそれぞれは、チャネル推定値の精度を向上させるために、割り当てる無線リソースの周波数帯域幅に応じて周波数方向の平均を取って平均化処理を行っても良い。
【００５０】
また、割り当てる無線リソースの時間幅（時間方向の長さ）に応じて時間方向の平均を取って平均化処理を行っても良い。
【００５１】
また、ＤＬチャネル推定値からＤＬチャネル情報を生成する際に、ＤＬチャネル推定値に対して圧縮や離散化等の処理を行い、ＤＬチャネル情報のビット数を削減してもよい。
【００５２】
算出部１１１の多重ウェイト選択部１１１２は、ステップＳ１０１で出力された複数の端末１２ｎ毎のレイヤ毎の最適アンテナウェイトＶＩＬと、後述するステップＳ１０８で出力された空間多重端末１２ｓの情報と、を入力とする。空間多重端末１２ｓの情報には、空間多重端末１２ｓの番号が含まれる。
【００５３】
多重ウェイト選択部１１１２は、端末あたりのレイヤ毎の最適アンテナウェイトＶＩＬと空間多重端末１２ｓの情報とに基づいて、数Ｊの空間多重端末１２ｓ毎の端末あたりのレイヤ毎の空間多重アンテナウェイトＶＪＬを選択し出力する（ステップＳ１０２）。空間多重アンテナウェイトＶＪＬは、Ｖ１，１，  Ｖ１，２，  …  Ｖ１，Ｌ，  Ｖ２，１，  Ｖ２，２，  …  Ｖ２，Ｌ，  …  ＶＪ，１，  ＶＪ，２，  …  ＶＪ，Ｌと表すことができる。
【００５４】
ただし、空間多重端末１２ｓの数をＪとし、空間多重端末１２ｓの各端末の実際の受信レイヤ数をＬとする。
【００５５】
干渉除去部１１２の端末間干渉除去部１１２１は、空間多重アンテナウェイトＶＪＬを入力とし、端末間の干渉除去を行って、空間多重端末１２ｓ毎の端末あたりのレイヤ毎の干渉除去アンテナウェイトＷＪＬを算出し出力する（ステップＳ１０３）。干渉除去アンテナウェイトＷＪＬは、Ｗ１，１，  Ｗ１，２，  …  Ｗ１，Ｌ，  Ｗ２，１，  Ｗ２，２，  …  Ｗ２，Ｌ，  …  ＷＪ，１，  ＷＪ，２，  …  ＷＪ，Ｌと表すことができる。
【００５６】
ただし、空間多重端末１２ｓの数をＪとし、空間多重端末１２ｓの各端末の実際の受信レイヤ数をＬとする。
【００５７】
端末間干渉除去部１１２１は、例えば、ゼロフォーシング（ＺＦ：Zero Forcing）法、ＭＭＳＥ（Minimum Mean Square Error）法のうちの少なくともいずれかを使用して空間多重端末１２ｓの送信電力を低下させて干渉電力を所望レベル以下にする。これにより、端末間の干渉を除去する。
【００５８】
希望信号電力損失算出部１１２２は、干渉除去アンテナウェイトＷＪＬと空間多重アンテナウェイトＶＪＬとに基づいて、空間多重端末１２ｓ毎の端末あたりのレイヤ毎の希望信号電力損失ＰＬＪＬを算出し出力する（ステップＳ１０４）。希望信号電力損失ＰＬＪＬは、ＰＬ１，１，  ＰＬ１，２，  …  ＰＬ１，Ｌ，ＰＬＶ２，１，ＰＬＶ２，２，  …  ＰＬ２，Ｌ，  …  ＰＬＪ，１，  ＰＬＪ，２，  …  ＰＬＪ，Ｌと表すことができる。
【００５９】
ただし、空間多重端末１２ｓの数をＪとし、空間多重端末１２ｓの各端末の実際の受信レイヤ数をＬとする。
【００６０】
ここで、空間多重アンテナウェイトＶＪＬは、最大比合成（ＭＲＣ：Maximal Ratio Combining）を行った後のＤＬのアンテナウェイトに相当する。すなわち、空間多重アンテナウェイトＶＪＬは、端末間の干渉電力を除去する前のアンテナウェイトである。一方、干渉除去アンテナウェイトＷＪＬは、端末間の干渉電力を除去した後のアンテナウェイトである。よって、干渉除去アンテナウェイトＷＪＬは、実際のＤＬのアンテナウェイトの算出方式を用いて算出したＤＬのアンテナウェイトに相当する。
【００６１】
希望信号電力損失算出部１１２２は、空間多重アンテナウェイトＶＪＬから算出した指向性パターンのピーク方向におけるビーム利得を算出し、これを空間多重ビーム利得Ｇｐｖとする。希望信号電力損失算出部１１２２は、空間多重アンテナウェイトＶＪＬから算出した指向性パターンのピーク方向における、干渉除去アンテナウェイトＷＪＬから算出した指向性パターンのビーム利得を算出し、これを干渉ビーム利得Ｇｐｗとする。空間多重アンテナウェイトＶＪＬから算出した指向性パターンのピーク方向という同一の方向における空間多重ビーム利得Ｇｐｖと干渉ビーム利得Ｇｐｗとの間には、差分がある。希望信号電力損失算出部１１２２は、空間多重ビーム利得Ｇｐｖと干渉ビーム利得Ｇｐｗとの差分を希望信号電力損失ＰＬＪＬとして算出する。指向性パターンを指向性ビーム、あるいは単にビームと称することもある。
【００６２】
ここで、多重ウェイト選択部１１１２のステップＳ１０２の動作と、端末間干渉除去部１１２１のステップＳ１０３の動作と、希望信号電力損失算出部１１２２のステップＳ１０４の動作とを具体的に説明する。
【００６３】
多重ウェイト選択部１１１２は、空間多重端末１２ｓ毎に基地局１１のアンテナ１１ａｎの指向性パターンとして、他の端末が存在しない状態（干渉電力が０）で、対象となる空間多重端末１２ｓの受信電力が最大となるように、基地局１１のアンテナ１１ａｎの空間多重アンテナウェイトＶＪＬを算出する。例えば、基地局１１と対象となる空間多重端末１２ｓの間が見通し（ＬＯＳ:Line Of Sight）環境だった場合、指向性パターンのピーク(最大値)が対象となる空間多重端末１２ｓの方向に向くように、空間多重アンテナウェイトＶＪＬを算出する。換言すれば、多重ウェイト選択部１１１２は、他の端末が存在しない状態で、対象となる空間多重端末１２ｓが受信する基地局１１からの送信電力が最大となるように、空間多重アンテナウェイトＶＪＬを算出する。
【００６４】
端末間干渉除去部１１２１は、多重ウェイト選択部１１１２が算出した空間多重アンテナウェイトＶＪＬであって、ある無線リソースにおける空間多重端末１２ｓの数Ｊ分の個別に算出した前記空間多重アンテナウェイトＶＪＬを集める。その後、端末間干渉除去部１１２１は、相互に干渉しないように、空間多重アンテナウェイトＶＪＬを制御して、干渉除去アンテナウェイトＷＪＬを算出する。換言すれば、多重ウェイト選択部１１１２は、他の端末が存在する状態で、他の端末への干渉電力を所望レベル以下にするように、空間多重アンテナウェイトＶＪＬを制御して、干渉除去アンテナウェイトＷＪＬを算出する。
【００６５】
希望信号電力損失算出部１１２２は、多重ウェイト選択部１１１２が算出した空間多重アンテナウェイトＶＪＬに基づいた希望信号送信電力と、端末間干渉除去部１１２１が算出した干渉除去アンテナウェイトＷＪＬに基づいた希望信号送信電力と、の差分を希望信号電力損失ＰＬＪＬとして算出する。
【００６６】
干渉除去部１１２の希望信号電力損失判定部１１２３は、空間多重端末１２ｓ毎の端末あたりのレイヤ毎の希望信号電力損失ＰＬＪＬが電力損失閾値Ｐｔｈ以下か否かを判定する（ステップＳ１０５）。
【００６７】
基地局１１は、全レイヤにおいて、希望信号電力損失ＰＬＪＬが電力損失閾値Ｐｔｈ以下の場合（ステップＳ１０５：Ｙｅｓ）、端末間の電力配分とＤＬ送信データの変調符号化方式（ＭＣＳ：Modulation and Coding Scheme）の決定を行う（ステップＳ１０６）。
【００６８】
基地局１１は、少なくとも１つのレイヤで希望信号電力損失ＰＬＪＬが電力損失閾値Ｐｔｈよりも大きい場合（ステップＳ１０５：Ｎｏ）、レイヤ情報及び該レイヤ情報を含む端末情報を、後述するステップＳ１０６及びステップＳ１０７へ出力する。端末情報は、端末番号を含む。
【００６９】
尚、電力損失閾値Ｐｔｈは、予め設定された固定値、又は動作環境に従って動的に変動するものでも良い。
【００７０】
ステップＳ１０６の処理は、全レイヤにおいて、希望信号電力損失ＰＬＪＬが電力損失閾値Ｐｔｈ以下の場合（ステップＳ１０５：Ｙｅｓ）に動作する。ステップＳ１０６では、干渉除去アンテナウェイトＷＪＬを入力とし、端末間及びレイヤ間の電力配分を行い、ＤＬ送信データの変調符号化方式の決定を行う。
【００７１】
端末間及びレイヤ間の電力配分の方法に制限はない。電力配分の方法としては、例えば、全ての空間多重端末１２ｓの全レイヤの送信電力を等しくする方法、空間多重を行った際に予想される各レイヤの信号品質に比例して送信電力を配分する方法、空間多重を行った際に予想される各レイヤの信号品質が等しくなるように送信電力を配分する方法が挙げられる。信号品質とは、例えば、信号対干渉比（ＳＩＲ：Signal to Interference Ratio）である。
【００７２】
ＤＬ送信データの変調符号化方式の決定の方法に制限はない。変調符号化方式の決定の方法としては、例えば、空間多重を行った際に予想される各レイヤの信号品質に基づいて変調方式及び符号化率を決定する方法が挙げられる。また、変調符号化方式の決定の別の方法としては、例えば、過去のＤＬ送信データの変調方式と符号化率と受信成功率とに基づいて、現在の変調方式と符号化率とを決定する方法が挙げられる。
【００７３】
基地局１１の選択部１１３は、初期値と、希望信号電力損失ＰＬＪＬが電力損失閾値Ｐｔｈよりも大きい場合（ステップＳ１０５：Ｎｏ）のレイヤ情報及び該レイヤ情報を含む端末情報と、を入力とし、空間多重端末１２ｓの数Ｊを出力する（ステップＳ１０７）。
【００７４】
選択部１１３における数Ｊの初期値は、基地局１１の最大送信可能レイヤ数Ｋ以下の任意の値を設定できる。例えば、「最大送信可能レイヤ数Ｋ／最大受信可能レイヤ数Ｌ」が挙げられる。
【００７５】
空間多重端末１２ｓの数Ｊの決定方法に制限はない。決定方法としては、例えば、予め決められた初期値を固定値とし、該初期値をこのまま、数Ｊとして使用する方法が挙げられる。決定方法の別の方法としては、例えば、希望信号電力損失ＰＬＪＬが電力損失閾値Ｐｔｈよりも大きい損失過剰端末１２ｐの数を、直前の空間多重端末１２ｓの数Ｊから減算し、減算した結果得られた数を現在の（新たな）数Ｊとして使用する方法が挙げられる。
【００７６】
選択部１１３は、空間多重端末１２ｓの数Ｊと、希望信号電力損失ＰＬＪＬが電力損失閾値Ｐｔｈよりも大きい場合（ステップＳ１０５：Ｎｏ）のレイヤ情報及び該レイヤ情報を含む端末情報と、を入力とする。選択部１１３は、入力された情報に基づいて、空間多重端末１２ｓの情報を、多重ウェイト選択部１１１２に出力する（ステップＳ１０８）。空間多重端末１２ｓの情報は、空間多重端末１２ｓの番号を含む。
【００７７】
ステップＳ１０８では、希望信号電力損失ＰＬＪＬが電力損失閾値Ｐｔｈよりも大きい損失過剰端末１２ｐを、直前の空間多重端末１２ｓの組から除外して、現在の（新たな）空間多重端末１２ｓとする。除外する端末は、希望信号電力損失ＰＬＪＬが電力損失閾値Ｐｔｈよりも大きい損失過剰端末１２ｐである。
【００７８】
ステップＳ１０８で除外された端末には、多重端末選択方法Ｍに従って、空間多重端末１２ｓが割り当てられる無線リソースとは別の無線リソースが割り当てられる。
【００７９】
ここで、多重端末選択方法Ｍとしては、例えば、ランダム選択法、ラウンドロビン法、プロポーショナルフェアネス（ＰＦ：Proportional Fairness）法、又はＭａｘ  Ｃ／Ｉ法が挙げられる。選択部１１３は、ランダム選択法、ラウンドロビン法、プロポーショナルフェアネス（ＰＦ：Proportional Fairness）法、又はＭａｘ  Ｃ／Ｉ法のいずれかを使用して、基地局１１と通信を行う複数の端末１２ｎの中から空間多重端末１２ｓを選択する。
【００８０】
また、多重端末選択方法Ｍは、上記方法に加え、端末あたりのレイヤ毎の最適アンテナウェイトＶＩＬなどを使用してもよい。
【００８１】
また、選択部１１３は、除外された端末の数が多いと判断した場合、空間多重端末１２ｓの組をリセットしてもよい。そして、選択部１１３は、空間多重端末１２ｓの初期値の数だけ、多重端末選択方法Ｍに従って、複数の端末１２ｎから空間多重端末１２ｓを選択してもよい。
【００８２】
除外された端末の数が多いと判断する基準に制限はない。判断の基準としては、例えば、空間多重端末１２ｓの初期値の数の２分の１、又は４分の１を基準とすることが挙げられる。選択部１１３は、空間多重端末１２ｓ数が、初期値の数の２分の１、又は４分の１以上になった場合、除外された端末の数が多いと判断する。
【００８３】
また、選択部１１３は、希望信号電力損失ＰＬＪＬが電力損失閾値Ｐｔｈよりも大きい複数の損失過剰端末１２ｐが存在する場合、複数の端末１２ｎの中から複数の損失過剰端末１２ｐを除外した上で、残りの端末の中から、新たな端末を多重端末選択方法Ｍに基づいて選択し、空間多重端末１２ｓに対して、数Ｊになるまで追加してもよい。
【００８４】
また、選択部１１３は、除外した複数の損失過剰端末１２ｐの数だけ新たな端末を複数の端末１２ｎの中から多重端末選択方法Ｍに基づいて選択し、選択した新たな端末を空間多重端末１２ｓに追加してもよい。
【００８５】
また、希望信号電力損失ＰＬＪＬが電力損失閾値Ｐｔｈよりも大きい複数の損失過剰端末１２ｐが存在する場合、複数の損失過剰端末１２ｐの中から１つの端末を選択し、選択した１つの端末を空間多重端末１２ｓから除外する。その後、複数の端末１２ｎの中から多重端末選択方法Ｍに基づいて新たな１つの端末を選択し、選択した端末を空間多重端末１２ｓに追加してもよい。このとき、除外された端末は、別の無線リソース（周波数／時間リソース）における空間多重端末の候補としてもよい。
【００８６】
図３に示す例では、複数の端末１２ｎの全ての端末あたりのレイヤ毎の最適アンテナウェイトＶＩＬを算出した（ステップＳ１０１）後、空間多重端末１２ｓに対応するものを端末あたりのレイヤ毎の最適アンテナウェイトＶＩＬから選択して空間多重アンテナウェイトＶＪＬを取得した（ステップＳ１０４）。実施の形態においては、これに限定されない。実施の形態においては、複数の端末１２ｎの中から空間多重端末１２ｓを選択した後、選択された空間多重端末１２ｓに限定して端末あたりのレイヤ毎の最適アンテナウェイトを算出し、これを空間多重アンテナウェイトＶＪＬとしてもよい。
【００８７】
実施の形態に係る基地局１１は、他の端末への干渉電力を所望レベル以下にするため、アンテナ１１ａｎのアンテナウェイトを制御して、空間多重端末１２ｓに対する希望信号送信電力を低下させる。このとき、基地局１１は、希望信号電力損失ＰＬＪＬが電力損失閾値Ｐｔｈよりも大きい損失過剰端末１２ｐを空間多重端末１２ｓから除外する。すなわち、基地局１１は、希望信号送信電力を大幅に犠牲にしている損失過剰端末１２ｐを空間多重端末１２ｓから除外する。
【００８８】
これにより、空間多重端末１２ｓの中から、当該端末に対して十分な送信電力を割り当てることができない、または、空間多重を行う他の端末に対する送信電力が低下する原因となる端末が除外されるので、基地局１１は、ＤＬ  ＭＵ−ＭＩＭＯ（Down Link Multi User - Multiple Input Multiple Output）の特性を向上させることができる。システム１０も同様である。
【００８９】
その結果、実施の形態によれば、ＤＬ  ＭＵ−ＭＩＭＯ特性を向上させることが可能な基地局及びシステムを提供することができる。
【００９０】
また、実施の形態に係る基地局１１は、希望信号電力損失ＰＬＪＬが電力損失閾値Ｐｔｈよりも大きい損失過剰端末１２ｐを空間多重端末１２ｓから除外することにより、空間多重する際の演算量を削減し、回路を小型化し、処理時間を短縮する（最適解を求める方法以外の空間多重端末選択方法を適用しても、ＤＬ  ＭＵ−ＭＩＭＯの特性を向上させることができる）。基地局１１の方法は、例えば、基地局と接続する全ての端末の組み合わせに対してＤＬチャネルの相互相関の低い組み合わせを選択するような、最適解を求める空間多重端末選択方法と比べて、演算量が少なく回路規模が小さく処理時間が短い。
【００９１】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【００９２】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(tangible storage medium)を含む。非一時的なコンピュータ可読媒体の例は、磁気記録媒体（具体的にはフレキシブルディスク、磁気テープ、ハードディスクドライブ）、光磁気記録媒体（具体的には光磁気ディスク）、ＣＤ−ＲＯＭ（Read Only Memory）、ＣＤ−Ｒ、ＣＤ−Ｒ／Ｗ、半導体メモリ（具体的には、マスクＲＯＭ、ＰＲＯＭ（Programmable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９３】
なお、本発明は上記実施の形態に限られたものではなく、趣旨を逸脱しない範囲で適宜変更することが可能である。
【００９４】
以上、実施の形態を参照して本願発明を説明したが、本願発明は上記によって限定されるものではない。本願発明の構成や詳細には、発明のスコープ内で当業者が理解し得る様々な変更をすることができる。
【００９５】
この出願は、２０１８年９月２６日に出願された日本出願特願２０１８−１８０６０６を基礎とする優先権を主張し、その開示の全てをここに取り込む。
【符号の説明】
【００９６】
１０…システム
１１…基地局
１１ａｎ…アンテナ
１１１…算出部
１１１１…最適ウェイト算出部
１１１２…多重ウェイト選択部
１１２…干渉除去部
１１２１…端末間干渉除去部
１１２２…希望信号電力損失算出部
１１２３…希望信号電力損失判定部
１１３…選択部
１１４…送信部
１２ｎ…複数の端末
１２ａｎ…アンテナ
１２ｓ…空間多重端末
１２ｐ…損失過剰端末
１２１…生成部
１２２…送信部
Ｉ、Ｊ…数
ＮＴＸ…送信アンテナ素子数
ＮＲＸ，ｊ、ＮＲＸ…受信アンテナ素子数
Ｋ…最大送信可能レイヤ数
Ｌｊｍ、Ｌ…最大受信可能レイヤ数
Ｌｊｒ、ＬＪｒ…実際の受信レイヤ数
Ｍ…多重端末選択方法
ＰＬＪＬ…希望信号電力損失
Ｐｔｈ…電力損失閾値
Ｇｐｖ…空間多重ビーム利得
Ｇｐｗ…干渉ビーム利得
ＶＩＬ…端末あたりのレイヤ毎の最適アンテナウェイト
ＶＪＬ…空間多重アンテナウェイト
ＷＪＬ…干渉除去アンテナウェイト
【図１】
2020066143.tif 000003
【図２】
2020066143.tif 000004
【図３Ａ】
2020066143.tif 000005
【図３Ｂ】
2020066143.tif 000006
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
ある無線リソースにおいて、空間多重を行う空間多重端末に関する情報と前記空間多重端末のＤＬ（Down Link）チャネル情報とに基づいて自局が有する複数アンテナの空間多重アンテナウェイトを算出する算出手段と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去手段と、
前記希望信号電力損失が電力損失閾値よりも大きい損失過剰端末を前記空間多重端末から除外する選択手段と、
前記空間多重端末に信号を送信する送信手段と、
を備える基地局。
【請求項２】
前記干渉除去手段は、
前記空間多重アンテナウェイトから算出した指向性パターンのピーク方向における空間多重ビーム利得を算出し、
前記空間多重アンテナウェイトから算出した指向性パターンのピーク方向における、前記干渉除去アンテナウェイトから算出した指向性パターンの干渉ビーム利得を算出し、
前記空間多重ビーム利得と前記干渉ビーム利得との差分を前記希望信号電力損失として算出する、
請求項１に記載の基地局。
【請求項３】
前記選択手段は、ランダム選択法、ラウンドロビン法、プロポーショナルフェアネス（ＰＦ：Proportional Fairness）法、又はＭａｘ  Ｃ／Ｉ法のいずれかを使用して、自局と通信を行う複数の端末の中から前記空間多重端末を選択する、
請求項１又は２に記載の基地局。
【請求項４】
前記干渉除去手段は、ゼロフォーシング（ＺＦ：Zero Forcing）法、及びＭＭＳＥ（Minimum Mean Square Error）法のうちの少なくともいずれかを使用して、前記空間多重端末の送信電力を低下させて前記干渉電力を前記所望レベル以下にする、
請求項１乃至３のいずれか１つに記載の基地局。
【請求項５】
前記空間多重端末の数の初期値は、自局の最大送信可能レイヤ数を、前記空間多重端末の最大受信可能レイヤ数で割った値として予め設定される、
請求項１乃至４のいずれか１つに記載の基地局。
【請求項６】
前記選択手段は、前記除外した前記損失過剰端末の数だけ、新たな端末を前記複数の端末の中から多重端末選択方法に基づいて選択し、前記新たな端末を前記空間多重端末に追加する、
請求項３に記載の基地局。
【請求項７】
基地局と前記基地局と空間多重を行う空間多重端末とを備え、
前記基地局は、
ある無線リソースにおいて、前記空間多重端末に関する情報と前記空間多重端末のＤＬ（Down Link）チャネル情報とに基づいて前記基地局が有する複数アンテナの空間多重アンテナウェイトを算出する算出手段と、
前記空間多重アンテナウェイトに基づいて他の端末への干渉電力を所望レベル以下にする干渉除去アンテナウェイトを算出し、前記空間多重アンテナウェイトと前記干渉除去アンテナウェイトとに基づいて前記空間多重端末の希望信号電力損失を算出する干渉除去手段と、
前記希望信号電力損失が電力損失閾値よりも大きい損失過剰端末を前記空間多重端末から除外する選択手段と、
前記空間多重端末に信号を送信する送信手段と、を有し、
前記空間多重端末は、
前記基地局から受信したＤＬ制御情報に基づいて前記ＤＬチャネル情報を生成する生成手段と、
前記ＤＬチャネル情報を前記基地局に送信する送信手段と、を有する、
システム。
【請求項８】
前記干渉除去手段は、
前記空間多重アンテナウェイトから算出した指向性パターンのピーク方向における空間多重ビーム利得を算出し、
前記空間多重アンテナウェイトから算出した指向性パターンのピーク方向における、前記干渉除去アンテナウェイトから算出した指向性パターンの干渉ビーム利得を算出し、
前記空間多重ビーム利得と前記干渉ビーム利得との差分を前記希望信号電力損失として算出する、
請求項７に記載のシステム。
【請求項９】
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する、
方法。
【請求項１０】
ある無線リソースにおいて、空間多重を行う空間多重端末に関する情報と前記空間多重端末のＤＬ（Down Link）チャネル情報とに基づいて基地局が有する複数アンテナの空間多重アンテナウェイトを算出し、
前記空間多重アンテナウェイトに基づいて他の端末への干渉電力を所望レベル以下にする干渉除去アンテナウェイトを算出し、
前記空間多重アンテナウェイトと前記干渉除去アンテナウェイトとに基づいて前記空間多重端末の希望信号電力損失を算出し、
前記希望信号電力損失が電力損失閾値よりも大きい損失過剰端末を前記空間多重端末から除外し、
前記空間多重端末に信号を送信する、
ことをコンピュータに実行させるプログラム。
【国際調査報告】
2020066143.tif 000007
2020066143.tif 000008
2020066143.tif 000009
2020066143.tif 000010